(57)【要約】【課題】本発明は、液晶モニタの状態とカメラのモードによって細かく電源制御をおこなうことによって、使用者が液晶モニタをファインダとして使用しない場合には液晶を自動的にオフし、無用な消費電力を減らすことができる画像記録装置を提供することを課題とする。【解決手段】画像記録装置が記録モードであって、液晶モニタユニット２０がカメラ本体１７に対し閉じた状態であるときには、光学ファインダ１８を使用して撮影が可能であると判断し、液晶の電源を自動的にオフにするように液晶モニタの電源制御を行うことにより、無用な消費電源を減らすことができる。【選択図】図２
2004343810.tif 000002
【特許請求の範囲】
【請求項１】
画像を撮影し画像データを得るための撮像手段と、記録モードと再生モードとを切り換えるモード切り換え手段と、前記モード切り換え手段により記録モードに切り換えられた場合には撮影しようとする画像を表示し、前記モード切り換え手段により再生モードに切り換えられた場合には撮影した画像を表示すると共に、装置本体に対して回動及び回転が可能な機構を有する画像表示手段と、
前記画像表示手段が装置本体に対して閉じた状態であることを検出する液晶開閉検出スイッチと、
前記画像表示手段の回転を検出する液晶回転検出スイッチと、を備え、
前記液晶開閉検出スイッチ及び前記液晶回転検出スイッチにより前記画像表示手段が装置本体に対して閉じており且つ装置本体に対して外側を向いた状態を検出された場合において、前記モード切り換え手段により記録モードに切り換えられた状態である場合には前記画像表示手段への表示は行わず、再生モードに切り換えられた状態である場合には前記画像表示手段への表示を行うことを特徴とする画像記録装置。
【請求項２】
画像を撮影し画像データを得るための撮像手段と、
記録モードと再生モードとを切り換えるモード切り換え手段と、
前記モード切り換え手段により記録モードに切り換えられた場合には撮影しようとする画像を表示し、前記モード切り換え手段により再生モードに切り換えられた場合には撮影した画像を表示すると共に、装置本体に対して回動及び回転が可能な機構を有する画像表示手段と、
前記画像表示手段が装置本体に対して閉じた状態であることを検出する液晶開閉検出スイッチと、
前記画像表示手段の回転を検出する液晶回転検出スイッチと、を備え、
前記モード切り換え手段により記録モードに切り換えられた場合であって、前記液晶開閉検出スイッチ及び前記液晶回転検出スイッチにより前記画像表示手段が装置本体に対して閉じており且つ装置本体に対し外側を向いた状態を検出したときは、前記画像表示手段への表示を行わず、
前記モード切り換え手段により再生モードに切り換えられた場合であって、前記液晶開閉検出スイッチ及び前記液晶回転検出スイッチにより前記画像表示手段が装置本体に対して閉じており且つ装置本体に対して外側を向いた状態を検出したときは、前記画像表示手段への表示を行うようにしたことを特徴とする画像記録装置。
【請求項３】
画像を撮影し画像データを得るための撮像手段と、
記録モードと再生モードとを切り換えるモード切り換え手段と、
前記モード切り換え手段により記録モードに切り換えられた場合には撮影しようとする画像を表示し、前記モード切り換え手段により再生モードに切り換えられた場合には撮影した画像を表示すると共に、装置本体に対して回動及び回転が可能な機構を有する画像表示手段と、
前記画像表示手段が装置本体に対して閉じた状態であることを検出する液晶開閉検出スイッチと、
前記画像表示手段の回転を検出する液晶回転検出スイッチと、を備え、
前記モード切り換え手段により記録モードに切り換えられた場合であって、前記液晶開閉検出スイッチ及び前記液晶回転検出スイッチにより前記画像表示手段が装置本体に対して閉じており且つ装置本体に対し内側を向いた状態を検出したとき及び前記画像表示手段が装置本体に対して閉じており且つ装置本体に対し外側を向いた状態を検出したときは、前記画像表示手段への表示を行わず、
前記モード切り換え手段により再生モードに切り換えられた場合であって、前記液晶開閉検出スイッチ及び前記液晶回転検出スイッチにより前記画像表示手段が装置本体に対して閉じており且つ装置本体に対して内側を向いた状態を検出したときは、前記画像表示手段への表示を行わないように制御したことを特徴とする画像記録装置。
【発明の詳細な説明】
【技術分野】
【０００１】
本発明は、画像記録装置に関し、特にその表示装置の電源管理に関する。
【背景技術】
【０００２】
電子カメラでは、液晶モニタに代表される表示装置を本体に内蔵または着脱可能とし、撮影した画像を即座に再生して確認したり、撮影時の画角合わせに利用したり、各種情報を表示させる場合が多い。特に液晶モニタを使用した場合には、実際に撮影する画像と同じ画角で画角合わせをおこなえるという大きなメリットがある。
【０００３】
電子カメラにおける液晶モニタについては、操作性や視認性等を考慮し、非使用時には本体に収納されており、ヒンジ機構によって使用時には本体に対して直角となったり、液晶モニタが回転したりする提案が特許文献１等でなされている。このような構成では、非使用時には液晶モニタの表示面をカメラ本体に対して平行かつ内側に向けて表示面の保護および携帯性をよくする。
【０００４】
また、液晶モニタで画角合わせをおこなう場合には、カメラ本体に対して平行となっている液晶モニタを本体に対して９０度とする事によって自動的に液晶モニタの電源がオンとなり撮像素子を通した画像が表示される。さらに、液晶モニタを１８０度回転させると画像が上下左右反転し、自分を撮影する場合に自分が画角のどのへんに移っているかを確認しながら撮影することが可能である。
【０００５】
また、再生モードでは１８０度回転させた状態で液晶をカメラ本体に対して平行に戻すことによって、携帯性および操作性の良い状態で記録している画像を再生することができる。
【０００６】
しかし、液晶モニタにおいては液晶駆動用のドライバＩＣを動作させたり、液晶用バックライトを点灯させる為、液晶モニタを使用しない場合と比較して消費電流が多くなり、携帯機器としては電池等の消耗が懸念され、ユーザーは予備の電池を携行する必要がある。ここで、液晶モニタの他に光学式のファインダを内蔵するかまたはカメラ本体に取り付け可能とすることにより、撮影時は液晶モニタをオフして光学ファインダを用いて撮影し、撮影画像の確認をおこなう場合には液晶モニタをオンして撮影画像を確認する、というように液晶モニタの使用を最小限に抑えることによって電池の消耗を軽減できる。
【０００７】
また、特許文献２においては、セルフタイマ記録時においては液晶モニタ等のビューファインダをオフすることによって消費電流を軽減する方法が提案されている。一般的に、電子カメラにおいては、ある一定期間操作がない場合には、自動的に液晶モニタをオフしたりプロセッサを停止させたりする省消費電流モードに入るように設計されており、電池の消耗を防ぐ配慮がなされいる。
【０００８】
本体に対して直角となったりモニタ自体が回転する液晶モニタと光学ファインダとの両方を併せ持つことができるカメラにおいて、たとえば再生する場合には、液晶表示部を本体と平行かつ表示面を外側に設定して撮影した画像を確認する。そのままの状態で撮影をおこなう場合には、使用者は液晶モニタを用いずに光学ファインダを用いて画角合わせをおこなうと容易に想像される。
【特許文献１】特開平９−９１０８号公報
【特許文献２】特公平７−７９４３７号公報
【発明の開示】
【発明が解決しようとする課題】
【０００９】
しかしながら、従来技術における液晶モニタの電源制御方式では、光学ファインダを用いて撮影すると判断できる状態でも液晶モニタをオンしている為、消費電流による電池消耗の問題が解決されていない。
【００１０】
本発明の目的は、光学ファインダを用いて撮影すると判断できる状態では液晶モニタを自動的にオフし、電池消耗を減少させることにある。
【課題を解決するための手段】
【００１１】
本発明は、画像を撮影し画像データを得るための撮像手段と、記録モードと再生モードとを切り換えるモード切り換え手段と、前記モード切り換え手段により記録モードに切り換えられた場合には撮影しようとする画像を表示し、前記モード切り換え手段により再生モードに切り換えられた場合には撮影した画像を表示すると共に、装置本体に対して回動及び回転が可能な機構を有する画像表示手段と、前記画像表示手段が装置本体に対して閉じた状態であることを検出する液晶開閉検出スイッチと、前記画像表示手段の回転を検出する液晶回転検出スイッチと、を備え、前記液晶開閉検出スイッチ及び前記液晶回転検出スイッチにより前記画像表示手段が装置本体に対して閉じており且つ装置本体に対して外側を向いた状態を検出された場合において、前記モード切り換え手段により記録モードに切り換えられた状態である場合には前記画像表示手段への表示は行わず、再生モードに切り換えられた状態である場合には前記画像表示手段への表示を行うことを特徴とする画像記録装置に関する。
【００１２】
好ましくは、画像を撮影し画像データを得るための撮像手段と、記録モードと再生モードとを切り換えるモード切り換え手段と、前記モード切り換え手段により記録モードに切り換えられた場合には撮影しようとする画像を表示し、前記モード切り換え手段により再生モードに切り換えられた場合には撮影した画像を表示すると共に、装置本体に対して回動及び回転が可能な機構を有する画像表示手段と、前記画像表示手段が装置本体に対して閉じた状態であることを検出する液晶開閉検出スイッチと、前記画像表示手段の回転を検出する液晶回転検出スイッチと、を備え、前記モード切り換え手段により記録モードに切り換えられた場合であって、前記液晶開閉検出スイッチ及び前記液晶回転検出スイッチにより前記画像表示手段が装置本体に対して閉じており且つ装置本体に対し外側を向いた状態を検出したときは、前記画像表示手段への表示を行い、前記モード切り換え手段により再生モードに切り換えられた場合であって、前記液晶開閉検出スイッチ及び前記液晶回転検出スイッチにより前記画像表示手段が装置本体に対して閉じており且つ装置本体に対して外側を向いた状態を検出したときは、前記画像表示手段への表示を行うようにしたことを特徴とする画像記録装置に関する。
【００１３】
また、好ましくは、画像を撮影し画像データを得るための撮像手段と、記録モードと再生モードとを切り換えるモード切り換え手段と、前記モード切り換え手段により記録モードに切り換えられた場合には撮影しようとする画像を表示し、前記モード切り換え手段により再生モードに切り換えられた場合には撮影した画像を表示すると共に、装置本体に対して回動及び回転が可能な機構を有する画像表示手段と、前記画像表示手段が装置本体に対して閉じた状態であることを検出する液晶開閉検出スイッチと、前記画像表示手段の回転を検出する液晶回転検出スイッチと、を備え、前記モード切り換え手段により記録モードに切り換えられた場合であって、前記液晶開閉検出スイッチ及び前記液晶回転検出スイッチにより前記画像表示手段が装置本体に対して閉じており且つ装置本体に対し内側を向いた状態を検出したとき及び前記画像表示手段が装置本体に対して閉じており且つ装置本体に対し外側を向いた状態を検出したときは、前記画像表示手段への表示を行い、
前記モード切り換え手段により再生モードに切り換えられた場合であって、前記液晶開閉検出スイッチ及び前記液晶回転検出スイッチにより前記画像表示手段が装置本体に対して閉じており且つ装置本体に対して内側を向いた状態を検出したときは、前記画像表示手段への表示を行わないように制御したことを特徴とする画像記録装置に関する。
【００１４】
上記構成によれば、記録モードであって、液晶表示部が本体と平行かつ表示面を外側に設定されている場合には、液晶を自動的にオフする。
【発明の効果】
【００１５】
本発明の構成によれば、液晶モニタの状態とカメラのモードによって細かく電源制御をおこなうことによって、使用者が液晶モニタをファインダとして使用しない場合には液晶モニタを自動的にオフし、無用な消費電力を減らし、バッテリーが長持ちする。
【００１６】
また、再生モードでは液晶表示面を使用者が見られる状態になっていれば液晶モニタに再生表示をおこなう為、操作性を損なうこともない。
【発明を実施するための最良の形態】
【００１７】
以下、図面を用いて本発明の実施の形態を説明する。図１は本発明の電子カメラの実施例の構成ブロック図である。図において、１は撮影レンズ光学系及び撮像回路、２はＡＤＣ（アナログディジタル変換器）、３は撮像回路１に各種タイミングを与えるＴＧ（タイミングジェネレータ）、４は画像データを一時的に格納するＲＡＭ、５は画像処理をおこなう信号処理プロセッサ、６は撮影時または撮影後の画像を表示する液晶モニタ、７は液晶モニタ６を駆動するための液晶ドライバ回路およびバックライト、８は液晶モニタ６に表示する画像データを格納する為のＶＲＡＭ、９は画像データを記録するための記録媒体、１０は記録媒体９の装着を検出するための記録媒体装着検出回路、１１はカメラ全体の動作を制御するＭＰＵ( マイクロプロセッサユニット) 、１２はカメラの状態を撮影モード、再生モードまたはパワーオフのいずれかの状態にするかを選択するためのカメラモードスイッチ、１３は撮影のタイミングを与えるレリーズスイッチ、１４は液晶モニタ６が本体と平行になった状態の場合にスイッチがオンする液晶開閉検出スイッチ、１５は液晶モニタが一定角度以上回転した場合にオンする液晶回転検出スイッチ、１６はカメラに装着されている記録媒体９の状態によって撮影可能枚数や撮影モード等カメラの状態を表示するモード表示用液晶パネルである。
【００１８】
図２、３、４、５は、本発明の電子カメラの実施例における液晶モニタユニットの各モードに対応した状態を示す外観図である。図において、１７はカメラ本体、１８は光学式ファインダ、１９はヒンジ機構、２０は液晶モニタ６および液晶ドライバおよびバックライト７を含む液晶モニタユニット、２１は液晶モニタ６の表示面である。
【００１９】
ここで、図２は、液晶モニタユニット２０をカメラ本体１７に対して直角に開いた状態である。図３は、液晶モニタユニット２０の表示面２１を外向きにして液晶モニタユニット２０をカメラ本体１７に対して平行にした状態である。図４は、液晶モニタユニット２０の表示面２１を内向きにして液晶モニタユニット２０をカメラ本体１７に対して平行にした状態である。図５は、液晶モニタユニット２０をカメラ本体１７に対して直角に開いた状態であり、図２の状態から液晶モニタユニット２０が１８０度回転した状態である。
【００２０】
つぎに、このような構成における動作について説明する。カメラモードスイッチ１２によってパワーオフから撮影モードに変更されると、ＭＰＵ１１は記録媒体９が装着されていることを記録媒体装着検出回路１０から出力される信号によって検出し、記録媒体９の空き容量を信号処理プロセッサ５を通じて調査し、その空き容量から記録可能枚数をＭＰＵ１１は求め、モード表示用液晶パネル１６に表示する。その後、ＭＰＵ１１は液晶開閉検出スイッチ１２および液晶回転検出スイッチ１５の状態を検出する。
【００２１】
液晶開閉検出スイッチ１２の状態が、液晶モニタユニット２０が本体と平行の状態でないこと（図２、５）を示していれば、ＭＰＵ１１はＴＧ３と信号処理プロセッサ５を起動し、ＴＧ３が起動されると撮影レンズ光学系及び撮像回路１を起動し、被写体画像をアナログ信号で出力させる。そのアナログ信号はＡＤＣ２によってディジタル信号へ変換され、ＲＡＭ４へ格納される。その後、ＭＰＵ１１は信号処理プロセッサ５へ液晶モニタ出力処理の指令をおこなう。信号処理プロセッサ５が信号処理をおこないＶＲＡＭ８へ画像データを格納する。ＶＲＡＭ８へ格納された画像データはＭＰＵ１１が液晶ドライバ７を起動することによって液晶モニタ６へ表示される。このような処理を繰り返すことによって液晶モニタ６へ撮影しようとしている画像がリアルタイムで表示される。
【００２２】
その後、レリーズスイッチ１３がオンされると、ＭＰＵ１１は信号処理プロセッサ５へ記録の指令をおこなう。記録指令を受けた信号処理プロセッサ５はＲＡＭ４に格納されている画像データを信号処理および圧縮等をおこない、記録媒体９へ記録する。
【００２３】
一方、液晶開閉検出スイッチ１２の状態が、液晶モニタユニット２０が本体と平行の状態である（図３、４）ことを示していれば、ＭＰＵ１１はなにも起動しない。その後、レリーズスイッチ１３を押された時点でＭＰＵ１１はＴＧ３と信号処理プロセッサ５を起動し、ＴＧ３は撮影レンズ光学系及び撮像回路１を起動し被写体画像をアナログ信号で出力させる。そのアナログ信号はＡＤＣ２によってディジタル信号へ変換され、ＲＡＭ４へ格納される。その後、ＭＰＵ１１は信号処理プロセッサ５へ記録の指令をおこなう。記録指令を受けた信号処理プロセッサ５はＲＡＭ４に格納されている画像データを信号処理および圧縮等をおこない、記録媒体９へ記録する。
【００２４】
カメラモードスイッチ１２が再生モードに設定されていた場合で、液晶開閉検出スイッチ１２の状態が液晶モニタユニット２０が本体と平行の状態であって、かつ液晶回転検出スイッチ１５の状態が回転していないことを示している場合（図４）以外の場合には（図２、３、５）、信号処理プロセッサ５へＭＰＵ１１が再生の指令をおこなう。再生指令を受け取った信号処理プロセッサ５は記録媒体９より画像データを取り込み、ＲＡＭ４へ一時格納をおこなう。その後信号処理プロセッサ５は圧縮されている画像データの伸張および信号処理をおこないＶＲＡＭ８へ再生画像データを格納する。信号処理プロセッサ５は信号処理完了をＭＰＵ１１へ連絡し、その連絡を受けたＭＰＵ１１は液晶ドライバ７を起動する。液晶ドライバ７はＶＲＡＭ８へ格納されている再生画像データを液晶モニタ６に表示させる。
【００２５】
一方、カメラモードスイッチ１２が再生モードに設定されていた場合で液晶開閉検出スイッチ１２の状態が、液晶モニタユニット２０が本体と平行の状態であることを示しており、かつ液晶回転検出スイッチ１５の状態が回転していないことを示している場合、つまり液晶モニタユニット２０と本体１７との位置関係が図４の状態の場合には、ＭＰＵ１１は信号処理プロセッサ５へは再生の指令をおこなわない。
【産業上の利用可能性】
【００２６】
本発明の構成によれば、液晶モニタの状態とカメラのモードによって細かく電源制御をおこなうことによって、使用者が液晶モニタをファインダとして使用しない場合には液晶を自動的にオフし、無用な消費電力を減らし、バッテリーが長持ちする。
【００２７】
また、再生モードでは液晶表示面を使用者が見られる状態になっていれば液晶モニタに再生表示をおこなう為、操作性を損なうこともない。
【図面の簡単な説明】
【００２８】
【図１】本発明の電子カメラの実施例の構成ブロック図
【図２】本発明の電子カメラの実施例の外観図
【図３】本発明の電子カメラの実施例の外観図
【図４】本発明の電子カメラの実施例の外観図
【図５】本発明の電子カメラの実施例の外観図
【符号の説明】
【００２９】
１ 撮影レンズ光学系及び撮像回路
２ ＡＤＣ
３ ＴＧ
４ ＲＡＭ
５ 信号処理プロセッサ
６ 液晶モニタ
７ 液晶ドライバ回路
８ ＶＲＡＭ
９ 記録媒体
１０ 記録媒体装着検出回路
１１ ＭＰＵ
１２ カメラモードスイッチ
１３ レリーズスイッチ
１４ 液晶開閉検出スイッチ
１５ 液晶回転検出スイッチ
１６ モード表示用液晶表示パネル
１７ 本体
１８ 光学式ファインダ
１９ ヒンジ機構
２０ 液晶モニタユニット
２１ 表示面
【図１】
2004343810.tif 000003
【図２】
2004343810.tif 000004
【図３】
2004343810.tif 000005
【図４】
2004343810.tif 000006
【図５】
2004343810.tif 000007